(57)【要約】【課題】ノズルが詰まりにくいスタンプ式の吐出容器を提供すること。【解決手段】吐出容器は、液状の内容物を収容可能な容器本体と、該容器本体の開口部に装着された吐出部と、を備え、対象物の表面に吐出部を当接させて内容物を所定の形状に吐出する吐出容器であって、吐出部は、第１方向に延びる筒状に形成された少なくとも一つのノズルと、該ノズルの周囲に設けられた外周壁と、を有し、各々のノズルの先端は、対象物の表面との接触部と、該接触部よりも第１方向において容器本体側に位置した複数の非接触部と、を含んでいる。【選択図】図１
2022001508.tif 000002
【特許請求の範囲】
【請求項１】
液状の内容物を収容可能な容器本体と、該容器本体の開口部に装着された吐出部と、を備え、対象物の表面に前記吐出部を当接させて内容物を所定の形状に吐出する吐出容器であって、
前記吐出部は、第１方向に延びる筒状に形成された少なくとも一つのノズルと、該ノズルの周囲に設けられた外周壁と、を有し、
各々の前記ノズルの先端は、前記対象物の表面との接触部と、該接触部よりも前記第１方向において前記容器本体側に位置した複数の非接触部と、を含む、
吐出容器。
【請求項２】
前記外周壁は、前記ノズルを囲繞する筒状に形成されている、
請求項１に記載の吐出容器。
【請求項３】
前記第１方向において、前記接触部は、前記外周壁の先端と同じか該先端よりも前記容器本体から遠くに位置している、
請求項１又は２に記載の吐出容器。
【請求項４】
前記吐出部は、前記ノズル及び前記外周壁を覆うヒンジタイプの蓋体を備えたヒンジキャップとして構成されている、
請求項１から３のいずれか一項に記載の吐出容器。
【請求項５】
前記ノズルは、単一のパーツで構成されている、
請求項１から４のいずれか一項に記載の吐出容器。
【請求項６】
前記容器本体は、収容する液体の減少に応じて内袋が収縮して外殻から離間するデラミネーション容器として構成されている、
請求項１から５のいずれか一項に記載の吐出容器。
【請求項７】
圧縮されると前記容器本体に収容された内容物を前記ノズルに供給するポンプ機構と、
前記ノズルとの位置関係が固定され、かつ前記容器本体を囲繞するカバーと、を更に備え、
前記容器本体は、前記ポンプ機構が装着された開口部と、該開口部とは反対側の底部と、を有し、該底部が前記カバーから突出しており、
前記容器本体が前記カバー内を摺動して前記ノズルに接近すると、前記ポンプ機構が圧縮されるように構成されている、
請求項１から６のいずれか一項に記載の吐出容器。
【発明の詳細な説明】
【技術分野】
【０００１】
本発明は、対象物の表面に液状の内容物を吐出する吐出容器に関する。
【背景技術】
【０００２】
対象物の表面に押し当てると、液状の内容物を所定の形状に吐出するスタンプ式の吐出容器が提案されている。例えば、特許文献１に記載の泡吐出容器は、手掌に押し当てると、ハンドソープの泡を動植物やキャラクタ等の形状に吐出する。
【先行技術文献】
【特許文献】
【０００３】
【特許文献１】特開２０１８−１９３１２８号公報
【発明の概要】
【発明が解決しようとする課題】
【０００４】
スタンプ式の吐出容器において、例えば、複数枚の花弁からなる花の形状に内容物を吐出する場合、ノズルを複数設けて、各々のノズルから花弁の形状に内容物を吐出することが考えられる。しかるに、ノズルが複数あると、内容物が乾燥していずれかのノズルが詰まってしまった場合、吐出容器の内圧を高めても、詰まりが生じていない他のノズルに圧力が逃げてしまう。吐出容器に圧力を加えてノズルの詰まりを解消することは難しい。一旦閉塞したノズルを開口させるには、ノズルの洗浄が必要になる。
【０００５】
そこで、本発明は、ノズルが詰まりにくいスタンプ式の吐出容器を提供することに関する。
【課題を解決するための手段】
【０００６】
本発明に係る吐出容器は、液状の内容物を収容可能な容器本体と、該容器本体の開口部に装着された吐出部と、を備え、対象物の表面に吐出部を当接させて内容物を所定の形状に吐出する吐出容器であって、吐出部は、第１方向に延びる筒状に形成された少なくとも一つのノズルと、該ノズルの周囲に設けられた外周壁と、を有し、各々のノズルの先端は、対象物の表面との接触部と、該接触部よりも第１方向において容器本体側に位置した複数の非接触部と、を含んでいる。
【発明の効果】
【０００７】
本発明によれば、ノズルが詰まりにくいスタンプ式の吐出容器を提供することができる。
【図面の簡単な説明】
【０００８】
【図１】図１は、本発明の第１実施形態の吐出容器の一例を示す断面図である。
【図２】図２は、図１に示された吐出容器から吐出された保湿クリームの形状を示す説明図である。
【図３】図３は、図１に示された吐出容器の外観を示す斜視図である。
【図４】図４は、図３に示された吐出容器の内部構造を示す断面図である。
【図５】図５は、図４に示されたノズルを拡大して示す斜視図である。
【図６】図６は、図５に示された非接触部と対象物の表面との間に形成された開口を模式的に示す説明図である。
【図７】図７は、図５に示されたノズル及び外周壁の高さを示す断面図である。
【図８】図８は、図５に示されたノズルの変形例を示す斜視図である。
【図９】図９は、図５に示されたノズルの他の変形例を示す断面図である。
【図１０】図１０は、本発明の第２実施形態に係る吐出部を示す斜視図である。
【図１１】図１１は、図１０に示された吐出部の内部構造を示す断面図である。
【図１２】図１２は、本発明の第３実施形態の吐出容器の内部構造を示す断面図である。
【図１３】図１３は、本発明の第４実施形態の吐出容器の外観を示す斜視図である。
【図１４】図１４は、図１３に示された吐出容器の内部構造を示す断面図である。
【発明を実施するための形態】
【０００９】
添付図面を参照して、本発明の好適な実施形態について説明する。なお、各図において、同一の符号を付したものは、同一又は同様の構成を有する。本発明の吐出容器１は、対象物の表面に当接させると、液状の内容物を所定の形状に吐出するスタンプ式の吐出容器１である。ノズル３１の先端には、複数の接触部３１１と複数の非接触部（切欠き）３１２とが交互に形成されている。
【００１０】
容器本体２に収容された内容物は、対象物の表面と非接触部３１２との隙間として形成された開口から所定の形状に吐出される。ノズル３１の数を減らすことができるため、ノズル詰まりが生じにくい。ノズル３１を対象物から離すと非接触部３１２が露出するため、流路を清掃しやすい。以下、図１から図１４を参照して各構成について詳しく説明する。
【００１１】
［第１実施形態］
図１から図８を参照して第１実施形態の吐出容器１について説明する。図１は、本発明の第１実施形態の吐出容器の一例を示す断面図である。図示した例では、吐出容器１が、対象物の一例である手掌に内容物の一例である保湿クリームを吐出するポンプ式の吐出容器として構成されている。対象物は、手掌に限定されず、腕、足、背中、おなかの皮膚などの身体の他部分、あるいは、壁、テーブル、床等身体以外のものであってもよい。
【００１２】
図２は、図１に示された吐出容器から吐出された保湿クリームの形状を示す説明図である。図示した例では、五枚の花弁からなる花の形状に内容物が吐出されている。なお、吐出容器１から吐出された内容物の形状は図示した例に限定されない。他の例については、図７から図１０を参照して後で詳しく説明する。
【００１３】
図３は、図１に示された吐出容器１の外観を示す斜視図である。図３に示すように、吐出容器１は、容器本体２と、容器本体２に装着された吐出部３と、を備えている。吐出部３を覆うオーバーキャップ４をさらに備えていてもよい。図示した例では、容器本体２、吐出部３及びオーバーキャップ４が、同軸の円筒状に形成されている。
【００１４】
吐出容器１を構成する各々の部材は、例えば、ポリプロピレン（ＰＰ）樹脂や高密度ポリエチレン（ＨＤＰＥ）樹脂等の樹脂材料から形成されている。吐出容器１を構成する各々の部材の形状は、図示した例に限定されず、角筒状であってもよいし、略円錐台であってもよいし、他の形状であってもよい。
【００１５】
吐出部３は、少なくとも一つのノズル３１と、ノズル３１の周囲に設けられた外周壁３２と、を有している。外周壁３２は、ノズル３１を囲繞している。各々のノズル３１は、第１方向Ｘに沿って延在している。図示した例では、第１方向Ｘが容器本体２、吐出部３及びオーバーキャップ４の中心軸Ｏの軸方向と一致している。説明の便宜上、第１方向Ｘにおいて吐出部３から容器２への向きを吐出容器１の基端側Ｘ１と呼び、第１方向Ｘにおいて容器本体２から吐出部３への向きを吐出容器１の先端側Ｘ２と呼ぶことがある。
【００１６】
図示した例では、吐出容器１に単一のノズル３１が設けられている。吐出容器１に複数のノズル３１を設けてもよい。複数のノズル３１については、図９及び図１０を参照して後で詳しく説明する。図４は、図３に示された吐出容器１の内部構造を示す断面図である。容器本体２には、液状の内容物が収容されている。内容物は、例えば皮膚用化粧品であり、総務省により設定された日本標準商品分類（ＪＳＣＣ）の小分類「皮膚用化粧品」に属する細分類「クリーム」「乳液」等である。内容物は、皮膚用化粧品には限定されず、身体用の日焼け止め、美容液、消毒液、石けん、ヘアスタイリング剤であってもよいし、非身体用の除菌剤、洗浄剤であってもよい。
【００１７】
内容物の粘度は、２０℃において１０００ｍＰａ・ｓ以上１０００００ｍＰａ・ｓ以下であることが好ましい。２０℃における液体の粘度は、より好ましくは５０００ｍＰａ・ｓ以上８００００ｍＰａ・ｓ以下であり、さらに好ましくは１００００ｍＰａ・ｓ以上６００００ｍＰａ・ｓ以下である。
【００１８】
液体の粘度は、Ｂ型粘度計により測定できる。例えば、内容物の剤型及び粘度に応じて適切なローター又はスピンドルを選択し、それに応じた回転数（５０〜６０回転／分）の回転数でローター又はスピンドルを回転させ、回転時間が６０秒となった時点の粘度を測定すればよい。内容物の粘度が２０℃において１０００ｍＰａ・ｓ以上１０００００ｍＰａ・ｓ以下であれば、ノズル３１から吐出される内容物を所定の形状に形成しやすい。
【００１９】
図示した例では、容器本体２が、収容する液体の減少に応じて内袋２２が収縮して外殻２１から離間するデラミネーション容器として構成されている。容器本体２は、図示した例に限定されず、内袋２２を省略した外殻２１だけであってもよい。容器本体２がデラミネーション容器であれば、内袋２２が収縮して吐出しやすいように内容物を集めるため、図１に示されたように吐出容器１を倒立させても内容物を円滑に吐出できる。内容物が空気に触れにくいため、保存安定性が良好であることから、皮膚用化粧品等の収容に好適である。
【００２０】
図４に示すように、容器本体２は、底部２３と、底部２３とは反対側の開口部２４と、を有している。開口部２４には、吐出部３が装着されている。図示した例では、吐出部３がポンプ機構５を備えている。ポンプ機構５は、圧縮されると容器本体２から吸い上げた内容物をノズル３１に供給する。なお、ポンプ機構５は、本実施形態に必須の構成ではない。ポンプ機構５を省略する場合、ノズル３１を直に容器本体２に接続してもよい。この場合、容器本体２はスクイズ可能な可撓性を有することが好ましい。
【００２１】
ポンプ機構５は、容器本体２の開口部２４に固定された装着部５１と、装着部５１に固定されたシリンダ５２と、シリンダ５２内を進退する筒状のピストン５３と、図示しない付勢部材と、を備えている。ピストン５３は、ノズル３１に接続されている。コイルばね（図示省略）等の付勢部材は、ピストン５３を前述した先端側Ｘ２へ付勢している。
【００２２】
図示した例では、シリンダ５２は、第１方向Ｘに沿って延在する筒状に形成されている。シリンダ５２の一方の端部は、装着部５１に固定されている。他方の端部は、容器本体２内に面している。他方の端部には、筒状のディップチューブ５５が固定されている。ディップチューブ５５の遊端は、容器本体２に収容された内容物に没入している。
【００２３】
シリンダ５２内には、ディップチューブ５５を通じて容器本体２内の内容物が充填されている。付勢部材の付勢力に抗してピストン５３がシリンダ５２内を圧縮すると、シリンダ５２内に充填されていた内容物がピストン５３内の流路を通じてノズル３１に供給される。
【００２４】
図５は、図４に示されたノズル３１を拡大して示す斜視図である。図示した例では。ノズル３１及び外周壁３２が、一体構造物として構成されている。以下の説明において、この一体構造物をクラウン部３０と呼ぶことがある。ノズル３１と外周壁３２との間の一部又は全部は、外周壁３２からノズル３１に向かうに従い基端側Ｘ１へ陥没する傾斜面に形成されている。
【００２５】
図示した例では、ノズル３１が、第１方向Ｘに沿って延在する円筒状に形成され、外周壁３２が、ノズル３１と同軸でノズル３１よりも拡径の円筒状に形成されている。ノズル３１及び外周壁３２の形状は、図示した例に限定されず、角筒状であってもよいし、他の形状であってもよい。なお、外周壁３２は、ノズル３１を囲繞していればよく、必ずしもノズル３１と同軸でなくてもよい。また、外周壁３２は、３６０°途切れなく連続してノズル３１を囲繞していてもよいし、途切れを有して断続的にノズル３１を囲繞していてもよい。
【００２６】
ノズル３１の先端は、複数の接触部３１１と、複数の非接触部３１２と、を含んでいる。図示した例では、ノズル３１の先端が、五つの接触部３１１と、五つの非接触部３１２と、を含んでいる。第１方向Ｘにおいて、非接触部３１２であるノズル３１の先端は、接触部３１１であるノズル３１の先端よりも吐出容器１の基端側Ｘ１に位置している。要するに、ノズル３１の先端の側壁に非接触部３１２による開口ＯＰ（図６に示す）が形成されている。図示した例では、非接触部３１２が、７２°ずつ変位した等間隔に形成されている。
【００２７】
図６は、図５に示された非接触部３１２と対象物の表面との間の隙間として形成された開口ＯＰを模式的に示す説明図である。図示した例では、開口ＯＰが略矩形に形成されている。開口ＯＰの形状は特に限定されず、三角形であってもよいし、逆Ｕ字形であってもよいし、半円形であってもよい。接触部３１１は、手掌等の柔らかい対象物にめり込むように密着している。ノズル３１内に内容物が供給されると、開口ＯＰから内容物が流出し、図２に示されたように、対象物の表面にノズル３１を中心にした放射状に内容物が付着する。
【００２８】
図７は、図５に示されたノズル３１及び外周壁３２の高さを示す断面図である。接触部３１１におけるノズル３１の先端の第１方向Ｘの高さＨ１は、外周壁３２の先端の第１方向Ｘの高さＨ２と略同一に形成されている。好ましくは、高さＨ１は、高さＨ２と同一か僅かに高い。そのため、接触部３１１は、外周壁３２の先端と同じか該先端よりも容器本体２から遠くに位置している。図示した例では、高さＨ１は、高さＨ２と同一に形成されている。このような外周壁３２によれば、手掌等の対象物の表面に対して略垂直にノズル３１を当接させることができる。
【００２９】
図８は、図５に示されたノズル３１の変形例を示す斜視図である。図示した例では、ノズル３１が、四つの接触部３１１と、四つの非接触部３１２と、を含んでいる。このようなノズル３１によれば、四枚の花弁からなる花の形状に内容物を吐出することができる。
【００３０】
図９は、図５に示されたノズル３１の他の変形例を示す断面図である。図５及び図８に示された例では、非接触部３１２の先端の第１方向Ｘにおける高さが一定であった。図８に示す例では、非接触部３１２の高さＨ３，Ｈ４が一定ではない。図示した例では、高さＨ３の非接触部３１２が二つ、高さＨ３よりも高い高さＨ４の非接触部３１２が二つ形成されており、高さＨ３の非接触部３１２と、高さＨ４の非接触部３１２とが交互に並んでいる。このようなノズル３１によれば、一輪に大小の花弁を含んだ花の形状に内容物を吐出することができる。
【００３１】
以上のように構成された第１実施形態及びその変形例の吐出容器１によれば、ノズル３１の接触部３１１を対象物の表面に接触させた状態で、接触部３１１よりも突出高さが低い非接触部３１２と対象物との間に開口ＯＰが形成される。吐出容器１の内圧を高めると、非接触部３１２と対象物との間の開口ＯＰから液状の内容物が流出し、ノズル３１を中心にした放射状の形状に内容物が吐出される。内容物を所定の形状に吐出するために開口ＯＰを用いれば、貫通孔の数を減らすことができる。内容物は、貫通孔を通じて空気と接触するため、貫通孔の数を減らして空気との接触面積を小さくすると、内容物が乾燥しにくくなる。そのため、ノズル３１が詰まりにくいスタンプ式の吐出容器１を提供することができる。
【００３２】
例えば、吐出容器１の使用前に汚れや内容物がノズル３１に付着していることを目視したタイミングで、使用者がノズル３１を清掃することが想定される。あるいは、吐出容器１の使用後に内容物を所定の形状で吐出できなかったタイミングで、使用者がノズル３１を清掃することが想定される。本実施形態では、ノズル３１を対象物から離すと非接触部３１２が露出するため、流路を清掃しやすい。
【００３３】
本実施形態では、外周壁３２がノズル３１を囲繞する筒状に形成されている。外周壁３２によりノズル３１を対象物の表面に対して略垂直に当接させるため、接触部３１１と対象物の表面との間に隙間が生じにくい。非接触部３１２における開口ＯＰを確実に形成できる。また、本実施形態では、ノズル３１が吐出部３に一つだけ設けられている。容器本体２の内圧が単一のノズル３１に集中するため、ノズル詰まりが生じてもノズル３１を閉塞する乾燥した内容物等を押し流して排出することができる。
【００３４】
本実施形態は、皮膚用化粧品の吐出容器として好適である。ノズル３１が強く当接させられると、使用者が手掌等に痛みを感じることがある。本実施形態では、ノズル３１の先端を手掌に当接させたとき、ノズル３１だけでなく該ノズル３１を囲繞する筒状の外周壁３２にも吐出容器１を押圧する力を分散できるため、使用者が苦痛を感じにくい。
【００３５】
接触部３１１は、外周壁３２の先端と同じか該先端よりも容器本体２から遠くに位置していてもよい。手掌等の軟らかい対象物に対して外周壁３２を当接させたとき、接触部３１１が対象物にめり込んで接触部３１１と対象物との間に隙間が生じない。非接触部３１２における開口ＯＰを確実に形成できる。
【００３６】
続いて、図１０乃至図１４を参照して第２乃至第４実施形態の吐出容器１について説明する。なお、第１実施形態の構成と同一又は類似の機能を有する構成は、同一の符号を付して対応する第１実施形態の記載を参酌することとし、ここでの説明を省略する。また、その他の構成は、第１実施形態と同一である。
【００３７】
［第２実施形態］
図１０は、本発明の第２実施形態に係る吐出部３の一例を示す斜視図である。第２実施形態は、一つの吐出部３に複数のノズル３１が設けられている点が第１実施形態と異なる。図１１は、図１０に示された吐出部３の内部構造を示す断面図である。図示した例では、前述したクラウン部３０を分割可能な複数のパーツで構成してノズル３１の上流側においてピストン５３の流路が分岐する液溜まりを形成し、ノズル３１を二つ設けている。分岐したピストン５３の流路は、複数のノズル３１に連通している。第２実施形態によれば、複数のノズル３１を組み合わせて複雑な形状に内容物を吐出することができる。
【００３８】
［第３実施形態］
図１２は、本発明の第３実施形態の吐出容器１を示す断面図である。前述した第１実施形態の容器本体２（外殻２１）は、ブロー成形等で形成され、底部２３を有したポンプボトル型として構成されていた。第３実施形態は、容器本体２がシートを折り畳んで形成され、底部２３を有していないチューブ型として構成されている点が第１実施形態と異なる。第３実施形態では、ポンプ機構５が省略されており、容器本体２の開口部２４とノズル３１とが連続している。
【００３９】
図示した例では、吐出部３が、前述したクラウン部３０に加えて、クラウン部３０を覆うヒンジタイプの蓋体３３を備えている一方、ポンプ機構５が省略されている。第３実施形態に係る吐出部３と組合せ可能な容器本体２は、チューブ型に限定されず、スクイズボトル型等、種々の容器本体２と組み合わせることができる。
【００４０】
［第４実施形態］
図１３は、本発明の第４実施形態の吐出容器１の外観を示す斜視図である。第４実施形態の吐出容器１はペン型であり、ノック式のボールペンを親指でノックするように、吐出容器１の基端側Ｘ１にある容器本体２の底部２３を親指等で操作して、先端側Ｘ２にあるノズル３１から内容物を吐出させることができる。
【００４１】
図１４は、図１３に示された吐出容器１の内部構造を示す断面図である。第４実施形態の吐出容器１は、図１４に示すように、前述した容器本体２、吐出部３等に加え、容器本体２を囲繞するカバー６をさらに備えている。カバー（外筒）６及び容器本体（内筒）２は、インロー構造を構成している。
【００４２】
詳しく述べると、容器本体２は、第１方向Ｘに平行に延びる筒状に形成されている。容器本体２は、前述したデラミネーション容器であってもよい。カバー６は、第１方向Ｘに延び、かつ容器本体２よりも一回り大きい筒状に形成されている。容器本体２及びカバー６は、円筒状であってもよいし、角筒状であってもよいし、他の形状であってもよい。
【００４３】
第１実施形態と同様に、吐出部３は、クラウン部３０、ポンプ機構５等を備えている。図示した例では、吐出部３が、クラウン部３０を覆うヒンジタイプの蓋体３３をさらに備えている。ヒンジタイプの蓋体３３に代えて、クラウン部３０やカバー６に装着可能なオーバーキャップ４（図２に示す）を吐出容器１が備えていてもよい。
【００４４】
第１方向Ｘにおいて、先端側Ｘ２のカバー６の端部６２は、クラウン部３０に固定されている。容器本体２の底部２３は、基端側Ｘ１のカバー６の端部６１よりもさらに基端側Ｘ１に突出している。第１実施形態と同様に、クラウン部３０は、ポンプ機構５の可動部であるピストン５３に接続されている。底部２３を覆うノックカバー等を更に備えていてもよい。その場合、カバー６に対して突没可能なノックカバーを操作して底部２３を押圧できる。
【００４５】
互いに固定されているピストン５３、クラウン部３０、カバー６の位置関係は変わらない。そのため、カバー６を把持して容器本体２の底部２３を先端側Ｘ２に押下すると、容器本体２がカバー６内を摺動してクラウン部３０に接近する。ポンプ機構５において、装着部５１及びシリンダ５２は容器本体２の開口部２４に固定されている一方、ピストン５３はクラウン部３０に固定されている。容器本体２の開口部２４とクラウン部３０とが接近すると、ピストン機構５が圧縮されて吐出容器１の内容物がノズル３１から吐出される。
【００４６】
第４実施形態によれば、ノック式のボールペンをノックするように、親指等で操作してノズル３１から内容物が吐出させることができる。対象物に押し込んでクラウン部３０を移動させる操作が必要ないため、皮膚等の対象物に負荷をかけずに内容物を優しく吐出できる。容器本体２に摺接してその移動を案内するカバー６を備えているため、ポンプ機構５の圧縮量が安定する。所定量の内容物を過不足なくノズル３１から吐出できるため、対象物に付着させた内容物を美しい花弁等の形状に描くことができる。
【００４７】
以上説明した実施形態は、本発明の理解を容易にするためのものであり、本発明を限定して解釈するためのものではない。実施形態が備える各要素並びにその配置、材料、条件、形状及びサイズ等は、例示したものに限定されるわけではなく適宜変更することができる。また、異なる実施形態で示した構成同士を部分的に置換し又は組み合わせることが可能である。
【００４８】
例えば、各実施形態に係る外周壁３２は、外周壁３２の先端がノズル３１の接触部３１１の先端よりも容器本体２から遠い進行位置と、外周壁３２の先端が接触部３１１の先端よりも容器本体２に近い退行位置との間を進退可能に構成されていてもよい。この態様によれば、外周壁３２の突出高さが可変であるため、外周壁３２をノズル３１よりも突出させて対象物の表面に略垂直にノズル３１を案内したのち、ノズル３１を外周壁３２よりも突出させて手掌等にノズル３１を密着させることができる。
【００４９】
また、吐出部３を先端に有する筒状のカバー６内に、容器本体２とポンプ機構５を収容する構成としてもよい。この構成の吐出容器１は、カバー６の吐出部３側とは反対側に容器本体２の底部２３が露出している。使用時には、吐出容器１の胴部となるカバー６を把持し、対象物の表面に吐出部３を当接させ、容器本体２の底部２３を親指等で押すことにより、内容物を所定の形状に吐出することができる。この吐出容器１によれば、内容物の吐出させる際に、吐出部３の当接にかかる力以上の力が対象物にかからず、優しい吐出が可能となる。
【産業上の利用可能性】
【００５０】
本発明によれば、ノズルが詰まりにくいスタンプ式の吐出容器を提供することができる。
【符号の説明】
【００５１】
１  吐出容器
２  容器本体
３  吐出部
４  オーバーキャップ
５  ポンプ機構
６  カバー
２１  外殻
２２  内袋
２３  底部
２４  開口部
３０  クラウン部
３１  ノズル
３２  外周壁
３３  蓋体
５１  装着部
５２  シリンダ
５３  ピストン
５５  ディップチューブ
３１１  接触部
３１２  非接触部
Ｈ１  接触部の高さ
Ｈ２  外周壁の高さ
Ｈ３，Ｈ４  非接触部の高さ
ＯＰ  開口
Ｘ  第１方向
Ｘ１  基端側
Ｘ２  先端側
【図１】
2022001508.tif 000003
【図２】
2022001508.tif 000004
【図３】
2022001508.tif 000005
【図４】
2022001508.tif 000006
【図５】
2022001508.tif 000007
【図６】
2022001508.tif 000008
【図７】
2022001508.tif 000009
【図８】
2022001508.tif 000010
【図９】
2022001508.tif 000011
【図１０】
2022001508.tif 000012
【図１１】
2022001508.tif 000013
【図１２】
2022001508.tif 000014
【図１３】
2022001508.tif 000015
【図１４】
2022001508.tif 000016